(57)【要約】【課題】表示する画面構成をオブジェクトとして管理する電子機器において、文字画像の表示を効率的に行う。【解決手段】文字コードとフォントデータとを対応付けて記憶するメモリ部１１と、メモリ部１１に記憶されたフォントデータに基づく文字画像を表示装置３に表示させる表示制御プログラム１４４ｃを実行したＣＰＵ１４１と、を備える電子機器１において、表示装置３に表示されるオブジェクト毎に、オブジェクト単位のラスタライズデータを、メモリ部１１に記憶されたフォントデータに基づいて生成する生成部１２と、生成部１２により生成されたオブジェクト単位のラスタライズデータを、キャッシュメモリ１４２に記憶させる記憶制御プログラム１４４ｂを実行したＣＰＵ１４１と、を備え、キャッシュメモリ１４２に記憶されたオブジェクト単位のラスタライズデータを用いて、文字画像を表示装置３に表示させるよう構成した。【選択図】図１
2008309933.tif 000002
【特許請求の範囲】
【請求項１】
文字コードとフォントデータとを対応付けて記憶する記憶手段と、当該記憶手段に記憶されたフォントデータに基づく文字画像を表示装置に表示させる表示制御手段と、を備える電子機器において、
前記表示装置に表示されるオブジェクト毎に、オブジェクト単位のラスタライズデータを、前記記憶手段に記憶されたフォントデータに基づいて生成する生成手段と、
前記生成手段により生成されたオブジェクト単位のラスタライズデータを、キャッシュメモリに記憶させる記憶制御手段と、を備え、
前記表示制御手段は、前記キャッシュメモリに記憶されたオブジェクト単位のラスタライズデータを用いて、前記文字画像を前記表示装置に表示させることを特徴とする電子機器。
【請求項２】
請求項１に記載の電子機器において、
前記記憶制御手段は、前記オブジェクト単位のラスタライズデータを記憶させる際、識別番号を付加して前記キャッシュメモリに記憶させ、
前記表示制御手段は、前記識別番号に基づいて前記オブジェクト単位のラスタライズデータを前記キャッシュメモリから読み出し、当該読み出したオブジェクト単位のラスタライズデータを用いて、前記文字画像を前記表示装置に表示させることを特徴とする電子機器。
【請求項３】
請求項１又は２に記載の電子機器において、
前記記憶制御手段は、前記キャッシュメモリに記憶されたオブジェクト単位のラスタライズデータのうちの、所定期間使用されていないオブジェクト単位のラスタライズデータを、当該キャッシュメモリから消去させることを特徴とする電子機器。
【請求項４】
請求項３に記載の電子機器において、
前記記憶制御手段は、前記オブジェクト単位のラスタライズデータを記憶させる際は、当該オブジェクトを構成する全文字の文字コードを、当該オブジェクト単位のラスタライズデータと対応付けて記憶させ、前記オブジェクト単位のラスタライズデータを消去させる際は、当該オブジェクトを構成する各文字の文字コードと、当該文字単位のラスタライズデータと、をそれぞれ対応付けて前記キャッシュメモリに記憶させることを特徴とする電子機器。
【請求項５】
文字コードとフォントデータとを対応付けて記憶する記憶手段と、当該記憶手段に記憶されたフォントデータに基づく文字画像を表示装置に表示させる表示制御手段と、を備える電子機器において、
前記表示装置に表示されるオブジェクト毎に、オブジェクト単位のラスタライズデータを、前記記憶手段に記憶されたフォントデータに基づいて生成する生成手段と、
前記生成手段により生成されたオブジェクト単位のラスタライズデータを、識別番号を付加してキャッシュメモリに記憶させるとともに、前記キャッシュメモリに記憶されたオブジェクト単位のラスタライズデータのうちの、所定期間使用されていないオブジェクト単位のラスタライズデータを、当該キャッシュメモリから消去させる記憶制御手段と、を備え、
前記表示制御手段は、前記識別番号に基づいて前記オブジェクト単位のラスタライズデータを前記キャッシュメモリから読み出し、当該読み出したオブジェクト単位のラスタライズデータを用いて、前記文字画像を前記表示装置に表示させ、
前記記憶制御手段は、前記オブジェクト単位のラスタライズデータを記憶させる際は、当該オブジェクトを構成する全文字の文字コードを、当該オブジェクト単位のラスタライズデータと対応付けて記憶させ、前記オブジェクト単位のラスタライズデータを消去させる際は、当該オブジェクトを構成する各文字の文字コードと、当該文字単位のラスタライズデータと、をそれぞれ対応付けて前記キャッシュメモリに記憶させることを特徴とする電子機器。
【発明の詳細な説明】
【技術分野】
【０００１】
本発明は、電子機器に関する。
【背景技術】
【０００２】
従来、テレビジョン受信機や、ＤＶＤ（Digital Versatile Disc）レコーダ、ＭＤ（MiniDisc）プレーヤ、ファクシミリ、携帯電話機などの電子機器においては、文字画像を表示できるようになっている。
具体的には、このような電子機器は、例えば、文字コードとフォントデータとを対応付けて記憶しており（例えば、特許文献１参照）、当該記憶されたフォントデータをラスタライズすることによって、文字画像を表示するようになっている。ラスタライズされたフォントデータ（以下、「ラスタライズデータ」という）は、キャッシュメモリに記憶されるようになっており、過去に表示した文字の文字画像を再表示する場合は、その文字のラスタライズデータをキャッシュメモリから読み出して使用するようになっている（例えば、特許文献２及び３参照）。
【０００３】
ところで、ＥＰＧ（Electronic Program Guide）画面やオンスクリーンディスプレイ（ＯＳＤ）表示画面には、画面構成をオブジェクトとして管理するものがある。すなわち、ＥＰＧ画面には、例えば、複数の文字から構成される１枠分の文字画像（例えば、１番組分の文字画像データなど）を１つのオブジェクトとして、１又は複数のオブジェクトにより構成されるものがある。また、ＯＳＤ表示画面には、例えば、複数の文字から構成される１枠分の文字画像（例えば、１つの操作キー画像など）を１つのオブジェクトとして、１又は複数のオブジェクトにより構成されるものがある。
【特許文献１】特開平５−２９８３０５号公報
【特許文献２】特開２００２−２４４６３９号公報
【特許文献３】特開平１０−１１９３６８号公報
【発明の開示】
【発明が解決しようとする課題】
【０００４】
しかしながら、特許文献２及び３のキャッシュメモリには、文字単位のラスタライズデータが記憶されているため、例えば、過去に表示したオブジェクトを再表示する場合、そのオブジェクトを構成する各文字のラスタライズデータを順次検索して読み出す必要があり、効率的でないという問題がある。
【０００５】
本発明の課題は、表示する画面構成をオブジェクトとして管理する電子機器において、文字画像の表示を効率的に行うことにある。
【課題を解決するための手段】
【０００６】
上記課題を解決するために、請求項１に記載の発明は、
文字コードとフォントデータとを対応付けて記憶する記憶手段と、当該記憶手段に記憶されたフォントデータに基づく文字画像を表示装置に表示させる表示制御手段と、を備える電子機器において、
前記表示装置に表示されるオブジェクト毎に、オブジェクト単位のラスタライズデータを、前記記憶手段に記憶されたフォントデータに基づいて生成する生成手段と、
前記生成手段により生成されたオブジェクト単位のラスタライズデータを、キャッシュメモリに記憶させる記憶制御手段と、を備え、
前記表示制御手段は、前記キャッシュメモリに記憶されたオブジェクト単位のラスタライズデータを用いて、前記文字画像を前記表示装置に表示させることを特徴とする。
【０００７】
請求項２に記載の発明は、
請求項１に記載の電子機器において、
前記記憶制御手段は、前記オブジェクト単位のラスタライズデータを記憶させる際、識別番号を付加して前記キャッシュメモリに記憶させ、
前記表示制御手段は、前記識別番号に基づいて前記オブジェクト単位のラスタライズデータを前記キャッシュメモリから読み出し、当該読み出したオブジェクト単位のラスタライズデータを用いて、前記文字画像を前記表示装置に表示させることを特徴とする。
【０００８】
請求項３に記載の発明は、
請求項１又は２に記載の電子機器において、
前記記憶制御手段は、前記キャッシュメモリに記憶されたオブジェクト単位のラスタライズデータのうちの、所定期間使用されていないオブジェクト単位のラスタライズデータを、当該キャッシュメモリから消去させることを特徴とする。
【０００９】
請求項４に記載の発明は、
請求項３に記載の電子機器において、
前記記憶制御手段は、前記オブジェクト単位のラスタライズデータを記憶させる際は、当該オブジェクトを構成する全文字の文字コードを、当該オブジェクト単位のラスタライズデータと対応付けて記憶させ、前記オブジェクト単位のラスタライズデータを消去させる際は、当該オブジェクトを構成する各文字の文字コードと、当該文字単位のラスタライズデータと、をそれぞれ対応付けて前記キャッシュメモリに記憶させることを特徴とする。
【００１０】
請求項５に記載の発明は、
文字コードとフォントデータとを対応付けて記憶する記憶手段と、当該記憶手段に記憶されたフォントデータに基づく文字画像を表示装置に表示させる表示制御手段と、を備える電子機器において、
前記表示装置に表示されるオブジェクト毎に、オブジェクト単位のラスタライズデータを、前記記憶手段に記憶されたフォントデータに基づいて生成する生成手段と、
前記生成手段により生成されたオブジェクト単位のラスタライズデータを、識別番号を付加してキャッシュメモリに記憶させるとともに、前記キャッシュメモリに記憶されたオブジェクト単位のラスタライズデータのうちの、所定期間使用されていないオブジェクト単位のラスタライズデータを、当該キャッシュメモリから消去させる記憶制御手段と、を備え、
前記表示制御手段は、前記識別番号に基づいて前記オブジェクト単位のラスタライズデータを前記キャッシュメモリから読み出し、当該読み出したオブジェクト単位のラスタライズデータを用いて、前記文字画像を前記表示装置に表示させ、
前記記憶制御手段は、前記オブジェクト単位のラスタライズデータを記憶させる際は、当該オブジェクトを構成する全文字の文字コードを、当該オブジェクト単位のラスタライズデータと対応付けて記憶させ、前記オブジェクト単位のラスタライズデータを消去させる際は、当該オブジェクトを構成する各文字の文字コードと、当該文字単位のラスタライズデータと、をそれぞれ対応付けて前記キャッシュメモリに記憶させることを特徴とする。
【発明の効果】
【００１１】
本発明によれば、文字コードとフォントデータとを対応付けて記憶する記憶手段と、当該記憶手段に記憶されたフォントデータに基づく文字画像を表示装置に表示させる表示制御手段と、を備える電子機器において、生成手段によって、表示装置に表示されるオブジェクト毎に、オブジェクト単位のラスタライズデータを、記憶手段に記憶されたフォントデータに基づいて生成することができ、記憶制御手段によって、生成手段により生成されたオブジェクト単位のラスタライズデータを、キャッシュメモリに記憶させることができる。そして、表示制御手段は、キャッシュメモリに記憶されたオブジェクト単位のラスタライズデータを用いて、文字画像を表示装置に表示させることができる。
すなわち、オブジェクト単位のラスタライズデータをキャッシュメモリに記憶させておくことができるため、オブジェクトを再表示する際、従来のような文字単位のラスタライズデータをキャッシュメモリに記憶させておく場合と比較して、ラスタライズデータの検索が効率的に行えるとともに、文字単位のラスタライズデータを合成してオブジェクト単位のラスタライズデータを作成する時間を省略することができるため、文字画像の表示を効率的に行うことができる。
【発明を実施するための最良の形態】
【００１２】
以下、図を参照して、本発明にかかる電子機器の最良の形態を詳細に説明する。なお、発明の範囲は、図示例に限定されない。
【００１３】
電子機器１は、例えば、テレビジョン受信機や、ＤＶＤレコーダ、ＨＤＤ（Hard Disk Drive）レコーダなどの、表示する画面構成をオブジェクトＪとして管理可能な機器である。
【００１４】
具体的には、例えば、電子機器１は、例えば、図１に示すように、メモリ部１１と、生成部１２と、計時部１３と、制御部１４と、などを備えて構成される。
また、電子機器１は、制御部１４を介して表示装置３と接続している。
【００１５】
メモリ部１１は、例えば、記憶手段として、文字コードとフォントデータとを対応付けて記憶する。
具体的には、メモリ部１１に記憶された文字コードとフォントデータは、例えば、表示装置３に表示されるＥＰＧ画面上や所定のＯＳＤ表示画面上の文字（ひらがな、カタカナ、英字、漢字、数字など）に関するデータである。
【００１６】
表示装置３に表示されるＥＰＧ画面は、例えば、図２に示すように、複数の文字から構成される１枠分の文字画像（例えば、１番組分の文字画像など）を１つのオブジェクトＪとして、複数のオブジェクトＪにより構成されている。
また、表示装置３に表示されるＯＳＤ表示画面は、例えば、図３に示すように、複数の文字から構成される１枠分の文字画像（例えば、１つの操作キー画像など）を１つのオブジェクトＪとして、複数のオブジェクトＪにより構成されている。
なお、ＥＰＧ画面やＯＳＤ表示画面は、複数のオブジェクトＪにより構成される必要はなく、１又は複数のオブジェクトＪにより構成されていればよい。
【００１７】
生成部１２は、制御部１４から入力される制御信号に従って、例えば、生成手段として、表示装置３に表示されるオブジェクトＪ毎に、オブジェクト単位のラスタライズデータＤ１を、メモリ部１１に記憶されたフォントデータに基づいて生成する。
すなわち、生成部１２は、メモリ部１１に記憶されたフォントデータを、オブジェクトＪ毎にラスタライズすることによって、オブジェクト単位のラスタライズデータＤ１を生成する。
【００１８】
計時部１３は、制御部１４から入力される制御信号に従って、所与の計時処理を行い、当該計時結果を制御部１４に出力する。
【００１９】
制御部１４は、例えば、電子機器１全体を統括的に制御する部位であり、例えば、図１に示すように、ＣＰＵ（Central Processing Unit）１４１と、キャッシュメモリ１４２と、メインメモリ１４３と、記憶部１４４と、などを備えて構成される。
【００２０】
ＣＰＵ１４１は、例えば、記憶部１４４に記憶された電子機器１用の各種処理プログラムに従って各種の制御動作を行う。
【００２１】
キャッシュメモリ１４２は、例えば、メインメモリ１４３よりも高速アクセス可能なメモリであり、例えば、入力データやＣＰＵ１４１によってプログラムが実行される際に生じる処理結果などを格納するデータ格納領域などを備えている。
具体的には、キャッシュメモリ１４２は、例えば、図４に示すように、第１格納領域１４２ａと、第２格納領域１４２ｂと、などを有している。
【００２２】
メインメモリ１４３は、例えば、ＲＡＭ（Random Access Memory）であり、例えば、ＣＰＵ１４１によって実行される処理プログラムなどを展開するためのプログラム格納領域や、入力データや上記処理プログラムが実行される際に生じる処理結果などを格納するデータ格納領域などを備える。
【００２３】
記憶部１４４は、例えば、電子機器１で実行可能なシステムプログラム、当該システムプログラムで実行可能な各種処理プログラム、これら各種処理プログラムを実行する際に使用されるデータ、ＣＰＵ１４１によって演算処理された処理結果のデータなどを記憶する。なお、プログラムは、コンピュータが読み取り可能なプログラムコードの形で記憶部１４４に記憶されている。
【００２４】
記憶部１４４は、例えば、図１に示すように、生成制御プログラム１４４ａと、記憶制御プログラム１４４ｂと、表示制御プログラム１４４ｃと、などを記憶している。
【００２５】
生成制御プログラム１４４ａは、例えば、生成部１２に制御信号を入力して、表示装置３に表示されるオブジェクトＪ毎に、オブジェクト単位のラスタライズデータＤ１を、メモリ部１１に記憶されたフォントデータに基づいて生成させる機能を、ＣＰＵ１４１に実現させる。
【００２６】
記憶制御プログラム１４４ｂは、例えば、生成部１２により生成されたオブジェクト単位のラスタライズデータＤ１を、キャッシュメモリ１４２の第１格納領域１４２ａに記憶させる機能を、ＣＰＵ１３１に実現させる。
【００２７】
ここで、ＣＰＵ１４１は、オブジェクト単位のラスタライズデータＤ１をキャッシュメモリ１４２の第１格納領域１４２ａに記憶させる際、例えば、そのオブジェクト単位のラスタライズデータＤ１に識別番号Ｎを付加するとともに、当該オブジェクトＪを構成する全文字の文字コードＣ１を、そのオブジェクト単位のラスタライズデータＤ１と対応付けて記憶させるようになっている。
具体的には、例えば、図４に示すように、キャッシュメモリ１４２の第１格納領域１４２ａに記憶されたオブジェクト単位のラスタライズデータＤ１は、それぞれ、識別番号Ｎが付加されているとともに、当該オブジェクトＪを構成する全文字の文字コードＣ１と対応付けて記憶されている。
【００２８】
また、記憶制御プログラム１４４ｂは、例えば、キャッシュメモリ１４２の第１格納領域１４２ａに記憶されたオブジェクト単位のラスタライズデータＤ１のうちの、所定期間使用されていないオブジェクト単位のラスタライズデータＤ１を、キャッシュメモリ１４２の第１格納領域１４２ａから消去させる機能を、ＣＰＵ１４１に実現させる。
具体的には、ＣＰＵ１４１は、例えば、キャッシュメモリ１４２に記憶されたオブジェクト単位のラスタライズデータＤ１毎に、そのデータを使用した日時を記憶しておくことによって、所定期間使用されていないか否かを判断する。
【００２９】
ここで、ＣＰＵ１４１は、オブジェクト単位のラスタライズデータＤ１をキャッシュメモリ１４２の第１格納領域１４２ａから消去させる際、当該オブジェクトＪを構成する各文字の文字コードＣ２，Ｃ２，…と、当該文字単位のラスタライズデータＤ２，Ｄ２，…と、をそれぞれ対応付けてキャッシュメモリ１４２の第２格納領域１４２ｂに記憶させるようになっている。文字単位のラスタライズデータＤ２は、例えば、オブジェクト単位のラスタライズデータＤ１を分割することによって得ることができる。
具体的には、例えば、図４に示すように、キャッシュメモリ１４２の第２格納領域１４２ｂに記憶された文字単位のラスタライズデータＤ２は、それぞれ各文字の文字コードＣ２と対応付けて記憶されている。
また、キャッシュメモリ１４２の第２格納領域１４２ｂに記憶された文字単位のラスタライズデータＤ２は、例えば、所定の文字グループ毎（例えば、図２においては、「英字」、「ひらがな」、「漢字」毎）に整理されている。これにより、キャッシュメモリ１４２の第２格納領域１４２ｂに記憶された文字単位のラスタライズデータＤ２を効率よく検索することができる。
ＣＰＵ１４１は、かかる記憶制御プログラム１４４ｂを実行することによって、記憶制御手段として機能する。
【００３０】
表示制御プログラム１４４ｃは、例えば、メモリ部１１に記憶されたフォントデータに基づく文字画像を表示装置３に表示させる機能を、ＣＰＵ１４１に実現させる。
【００３１】
具体的には、ＣＰＵ１４１は、例えば、キャッシュメモリ１４２の第１格納領域１４２ａに記憶されたオブジェクト単位のラスタライズデータＤ１を用いて、文字画像を表示装置３に表示させる。このとき、ＣＰＵ１４１は、例えば、識別番号Ｎに基づいてオブジェクト単位のラスタライズデータＤ１をキャッシュメモリ１４２の第１格納領域１４２ａから読み出し、当該読み出したオブジェクト単位のラスタライズデータＤ１を用いて、文字画像を表示装置３に表示させるようになっている。
【００３２】
また、ＣＰＵ１４１は、キャッシュメモリ１４２の第１格納領域１４２ａにオブジェクト単位のラスタライズデータＤ１が記憶されていないオブジェクトＪを表示させる際は、例えば、キャッシュメモリ１４２の第２格納領域１４２ｂに記憶された文字単位のラスタライズデータＤ２を用いて、文字画像を表示装置３に表示させる。このとき、ＣＰＵ１４１は、例えば、オブジェクトＪを構成する各文字の文字コードＣ２，Ｃ２，…に基づいて各文字単位のラスタライズデータＤ２，Ｄ２，…をキャッシュメモリ１４２の第２格納領域１４２ｂから読み出し、当該読み出した各文字単位のラスタライズデータＤ２，Ｄ２，…を合成してオブジェクト単位のラスタライズデータＤ１を作成することによって、文字画像を表示装置３に表示させるようになっている。
ＣＰＵ１４１は、かかる表示制御プログラム１４４ｃを実行することによって、表示制御手段として機能する。
【００３３】
以上説明した本発明の電子機器１によれば、文字コードとフォントデータとを対応付けて記憶するメモリ部１１と、当該記憶されたフォントデータに基づく文字画像を表示装置３に表示させる表示制御プログラム１４４ｃを実行したＣＰＵ１４１と、を備えている。そして、生成部１２によって、表示装置３に表示されるオブジェクトＪ毎に、オブジェクト単位のラスタライズデータＤ１を、当該記憶されたフォントデータに基づいて生成することができ、記憶制御プログラム１４４ｂを実行したＣＰＵ１４１によって、生成部１２により生成されたオブジェクト単位のラスタライズデータＤ１を、キャッシュメモリ１４２に記憶させることができる。そして、表示制御プログラム１４４ｃを実行したＣＰＵ１４１は、キャッシュメモリ１４２に記憶されたオブジェクト単位のラスタライズデータＤ１を用いて、文字画像を表示装置３に表示させることができる。
すなわち、オブジェクト単位のラスタライズデータＤ１をキャッシュメモリ１４２に記憶させておくことができるため、オブジェクトＪを再表示する際、従来のような文字単位のラスタライズデータＤ２をキャッシュメモリ１４２に記憶させておく場合と比較して、ラスタライズデータの検索が効率的に行えるとともに、文字単位のラスタライズデータＤ２，Ｄ２，…を合成してオブジェクト単位のラスタライズデータＤ１を作成する時間を省略することができるため、文字画像の表示を効率的に行うことができる。
【００３４】
さらに、本発明の電子機器１によれば、記憶制御プログラム１４４ｂを実行したＣＰＵ１４１は、オブジェクト単位のラスタライズデータＤ１を記憶させる際、識別番号Ｎを付加してキャッシュメモリ１４２に記憶させることができ、表示制御プログラム１４４ｃを実行したＣＰＵ１４１は、識別番号Ｎに基づいてオブジェクト単位のラスタライズデータＤ１をキャッシュメモリ１４２から読み出し、当該読み出したオブジェクト単位のラスタライズデータＤ１を用いて、文字画像を表示装置３に表示させることができる。
すなわち、識別番号Ｎによって、オブジェクト単位のラスタライズデータＤ１を検索することができるため、ラスタライズデータの検索を効率的に行うことができる。
【００３５】
さらに、本発明の電子機器１によれば、記憶制御プログラム１４４ｂを実行したＣＰＵ１４１は、キャッシュメモリ１４２に記憶されたオブジェクト単位のラスタライズデータＤ１のうちの、所定期間使用されていないオブジェクト単位のラスタライズデータＤ１を、キャッシュメモリ１４２から消去させることができる。
すなわち、使用頻度の低いオブジェクト単位のラスタライズデータＤ１を消去することができるため、キャッシュメモリ１４２の記憶容量を効率的に使用することができる。
【００３６】
さらに、本発明の電子機器１によれば、記憶制御プログラム１４４ｂを実行したＣＰＵ１４１は、オブジェクト単位のラスタライズデータＤ１を記憶させる際は、当該オブジェクトＪを構成する全文字の文字コードＣ１を、そのオブジェクト単位のラスタライズデータＤ１と対応付けて記憶させ、オブジェクト単位のラスタライズデータＤ１を消去させる際は、当該オブジェクトＪを構成する各文字の文字コードＣ２，Ｃ２，…と、当該文字単位のラスタライズデータＤ２，Ｄ２，…と、をそれぞれ対応付けてキャッシュメモリ１４２に記憶させるようになっている。
すなわち、オブジェクト単位のラスタライズデータＤ１が消去されても、当該オブジェクトＪを構成する文字単位のラスタライズデータＤ２，Ｄ２，…は、キャッシュメモリ１４２に記憶されているため、メモリ部１１からフォントデータを読み出して当該フォントデータをラスタライズして文字画像を表示する場合よりも、文字画像の表示を効率的に行うことができる。
【００３７】
なお、本発明は、上記した実施の形態のものに限るものではなく、その要旨を逸脱しない範囲で適宜変更可能である。
【００３８】
電子機器１と表示装置３は、別体であってもよいし、一体であってもよい。
また、ＣＰＵ１４１とキャッシュメモリ１４２は、別体であってもよいし、一体であってもよい。
【図面の簡単な説明】
【００３９】
【図１】本発明にかかる電子機器の機能的構成を示すブロック図である。
【図２】オブジェクトを説明するためのＥＰＧ画面である。
【図３】オブジェクトを説明するためのＯＳＤ表示画面である。
【図４】図１に示したキャッシュメモリのデータ構造を示す図である。
【符号の説明】
【００４０】
１  電子機器
３  表示装置
１１  メモリ部（記憶手段）
１２  生成部（生成手段）
１４１  ＣＰＵ（記憶制御手段、表示制御手段）
１４２  キャッシュメモリ
１４４ｂ  記憶制御プログラム（記憶制御手段）
１４４ｃ  表示制御プログラム（表示制御手段）
Ｃ１  全文字の文字コード
Ｃ２  各文字の文字コード
Ｄ１  オブジェクト単位のラスタライズデータ
Ｄ２  文字単位のラスタライズデータ
Ｊ  オブジェクト
Ｎ  識別番号
【図１】
2008309933.tif 000003
【図２】
2008309933.tif 000004
【図３】
2008309933.tif 000005
【図４】
2008309933.tif 000006